(57)【要約】      （修正有）【課題】肩や背中などにも、貼り薬を自分で貼ることができ、しかも、複数の貼り薬を連続して貼ることができる器具を提供する。【解決手段】貼り薬１を支持層に付着し、人体付着力よりも弱い第１付着力を有する第１テープ１１と、貼り薬の膏体層に付着し第１付着力よりも弱い第２付着力を得る第２テープ１３とで挟んで、複数の貼り薬を各テープの長手方向へ配列させる貼り薬配列テープ１５を使用する。第１ローラ３１を介して薬配列テープの貼り薬を人体３３へ押し付けて器具１９を移動すると第１ローラは回転し、貼り薬配列テープは第１ローラへ引っ張られ、貼り薬配列テープの貼り薬が人体へ貼り付く。貼り薬配列テープを介して貼り薬ローラ２９も連動して回転する。連動ベルト３７を介して貼り薬ローラと連動して第２ローラ３５も回転する。第２ローラは、第１ローラからの第１テープのみならず、剥がされた第２テープをも重ねて巻き取る。【選択図】図１
2017006253.tif 000002
【特許請求の範囲】
【請求項１】
薬成分を有し人体へ貼り付く人体付着力を持つ裏側の膏体層を、表側の支持層が支持して構成される貼り薬と、前記貼り薬の支持層に付着し前記人体付着力よりも弱い第１付着力を有する第１テープと、前記貼り薬の膏体層に付着し前記第１付着力よりも弱い第２付着力を得る第２テープと、複数の前記貼り薬を表裏から前記第１テープおよび第２テープとで挟んで前記各テープの長手方向へ配列させ、前記第１付着力および第２付着性とで維持して構成される貼り薬配列テープを、巻き回して保持する貼り薬ローラと、この貼り薬ローラから巻き出される前記貼り薬配列テープを、前記第２テープが剥がされた状態で引っ張って移動させ、前記貼り薬配列テープの貼り薬を人体へ押し付けて貼り付け、残った第１テープだけを巻き回す第１ローラと、この第１ローラからの第１テープおよび前記剥がされた第２テープを巻き取る第２ローラと、前記貼り薬ローラと前記第２ローラを連動させる連動ベルトと、を有することにより、
前記第１ローラを、前記第２テープが剥がされた状態の貼り薬配列テープを介して、人体へ押し付けて、本器具を移動させると、前記貼り薬が人体へ貼り付けられ、前記第１ローラは回転し、この回転力は、前記貼り薬配列テープを介して、前記貼り薬ローラを回転させ、さらに前記連動ベルトを介して、第２ローラを回転させることを特徴とする貼り薬の貼り付け器具。
【請求項２】
前記第１ローラからの前記第１テープの行路を変えて前記第１ローラへ向かわせるための第１補助ローラと、前記貼り薬配列テープから剥がされた前記第２テープの行路を変えて前記第２ローラへ向かわせるための第２補助ローラと、を有することを特徴とする請求項１に記載の貼り薬の貼り付け器具。
【請求項３】
前記貼り薬ローラ、前記第１ローラ、または前記第２ローラのいずれかのローラの端部に同軸で形成される螺旋状の傾斜路と、この傾斜路を押圧する押圧材と、この押圧力を発生するバネと、を有して構成され、前記ローラの回転に伴って、前記傾斜路によって前記押圧力に抗して後退する前記押圧材が、前記螺旋状の傾斜路の終端で落下し、生じる音または振動により、前記ローラの１回転の終了を知らせる検知機構を備えたことを特徴とする請求項１、または２に記載の貼り薬の貼り付け器具。
【請求項４】
前記貼り薬ローラ、前記第１ローラ、または前記第２ローラのいずれかのローラの端部外周に、周方向へ複数が形成される凹凸と、この凹凸の凸部に接触する位置に先端が保持される弾性片と、を有して構成され、前記ローラの回転に伴って、前記弾性片の先端が前記凸部に接触して、回転の抵抗となることで前記ローラの空回り、または逆回転を防止する逆回転防止機構を備えたことを特徴とする請求項１、２、または３に記載の貼り薬の貼り付け器具。
【請求項５】
前記貼り薬には、周囲の少なくとも一部に切れ目が形成され、これにより、切れ目に、棒状の剥がし具の先端を入れることで、前記貼り薬を人体から容易に剥がすことができることを特徴とする請求項１、２、３、または４に記載の貼り薬の貼り付け器具。
【請求項６】
請求項１、２、３、４、または５に記載の貼り薬の貼り付け器具に使用する前記貼り薬配列テープをあらかじめ巻き回したロール状とすることで、前記貼り薬ローラに軸方向から嵌め込んで容易に保持させることを可能としたことを特徴とするロール状貼り薬配列テープ。
【発明の詳細な説明】
【技術分野】
【０００１】
この発明は、貼り薬を人体へ自動的に貼り付けることができる貼り付け器具の構造に関する。
【背景技術】
【０００２】
湿布薬などの貼り薬は、薬成分を有し人体へ貼り付く人体付着力を持つ膏体層を、その上の支持層が支持して構成される。
【０００３】
このような貼り薬を手で自分の体に手で貼るには、膏体層が体の間違った部位に貼り付いてしまわないように、また、貼り薬が折れ曲がってしまい膏体層と膏体層がくっついてしまわないように、指で慎重に支持層をつまんで、手を伸ばし、狙い通りの部位に貼らなければならない。このため、肩や背中など、手の届かない部位には、自分では貼ることが困難である。
【０００４】
この困難性を解決するために、下記特許文献１では、器具に備えた複数のローラやベルトで、貼り薬を送り、人体に接するローラで、人体へ貼る。この器具を手に持つことで、肩や背中など手の届かない部位にも、貼り薬を自分で貼ることができる。
【０００５】
しかし、通常の貼り薬では、使わないときに、膏体層が間違って貼り付いてしまわないように、ビニールなどフィルム状のテープで覆われている。特許文献１の器具では、このテープをあらかじめ剥がして器具にセットしなければならない（特許文献１段落００１７の１〜２行）ので、薬効が落ちたり、膏体層の貼り付き面が不潔になったりする恐れがある。
【０００６】
この恐れを無くすために、下記特許文献２の器具では、貼り薬を、膏体層がフィルム状のテープで覆われた状態のままで使用する。そして、使用の際には、フィルム状のテープは、人体に接するローラとは別に設けられるローラによって、付着され巻き取られ、剥がされる。
【先行技術文献】
【特許文献】
【０００７】
【特許文献１】特開２０１３−２４４１１５
【特許文献２】特開２００３−０７０９１６
【発明の概要】
【発明が解決しようとする課題】
【０００８】
しかしながら、特許文献２の器具では、フィルム状のテープを付着させ剥がすローラは、付着する長さが制限され、１回転分しかない。次の使用では、１回転分に既にテープが付着してしまっているため、次のテープが付着できないので、貼り薬を使用できない。次の貼り薬を使用するには、既に付着しているテープを、ローラから剥がさなくてはならない。このため、複数の貼り薬を連続して貼ることはできない。
【０００９】
この発明は、以上の問題点を解決するために、器具を手に持つことで、肩や背中など手の届かない部位にも、貼り薬を自分で貼ることができ、しかも、複数の貼り薬を連続して貼ることができる器具を提供することを目的とする。
【課題を解決するための手段】
【００１０】
以上の課題を解決するために、第一発明は、薬成分を有し人体へ貼り付く人体付着力を持つ裏側の膏体層を、表側の支持層が支持して構成される貼り薬と、前記貼り薬の支持層に付着し前記人体付着力よりも弱い第１付着力を有する第１テープと、前記貼り薬の膏体層に付着し前記第１付着力よりも弱い第２付着力を得る第２テープと、複数の前記貼り薬を表裏から前記第１テープおよび第２テープとで挟んで前記各テープの長手方向へ配列させ、前記第１付着力および第２付着性とで維持して構成される貼り薬配列テープを、巻き回して保持する貼り薬ローラと、この貼り薬ローラから巻き出される前記貼り薬配列テープを、前記第２テープが剥がされた状態で引っ張って移動させ、前記貼り薬配列テープの貼り薬を人体へ押し付けて貼り付け、残った第１テープだけを巻き回す第１ローラと、この第１ローラからの第１テープおよび前記剥がされた第２テープを巻き取る第２ローラと、前記貼り薬ローラと前記第２ローラを連動させる連動ベルトと、を有することにより、
前記第１ローラを、前記第２テープが剥がされた状態の貼り薬配列テープを介して、人体へ押し付けて、本器具を移動させると、前記貼り薬が人体へ貼り付けられ、前記第１ローラは回転し、この回転力は、前記貼り薬配列テープを介して、前記貼り薬ローラを回転させ、さらに前記連動ベルトを介して、第２ローラを回転させることを特徴とする貼り薬の貼り付け器具である。
【００１１】
第二発明は、さらに、前記第１ローラからの前記第１テープの行路を変えて前記第１ローラへ向かわせるための第１補助ローラと、前記貼り薬配列テープから剥がされた前記第２テープの行路を変えて前記第２ローラへ向かわせるための第２補助ローラと、を有することを特徴とする請求項１に記載の貼り薬の貼り付け器具である。
【００１２】
第三発明は、さらに、前記貼り薬ローラ、前記第１ローラ、または前記第２ローラのいずれかのローラの端部に同軸で形成される螺旋状の傾斜路と、この傾斜路を押圧する押圧材と、この押圧力を発生するバネと、を有して構成され、前記ローラの回転に伴って、前記傾斜路によって前記押圧力に抗して後退する前記押圧材が、前記螺旋状の傾斜路の終端で落下し、生じる音または振動により、前記ローラの１回転の終了を知らせる検知機構を備えたことを特徴とする請求項１、または２に記載の貼り薬の貼り付け器具である。
【００１３】
第四発明は、さらに、前記貼り薬ローラ、前記第１ローラ、または前記第２ローラのいずれかのローラの端部外周に、周方向へ複数が形成される凹凸と、この凹凸の凸部に接触する位置に先端が保持される弾性片と、を有して構成され、前記ローラの回転に伴って、前記弾性片の先端が前記凸部に接触して、回転の抵抗となることで前記ローラの空回り、または逆回転を防止する逆回転防止機構を備えたことを特徴とする請求項１、２、または３に記載の貼り薬の貼り付け器具である。
【００１４】
第五発明は、さらに、前記貼り薬には、周囲の少なくとも一部に切れ目が形成され、これにより、切れ目に、棒状の剥がし具の先端を入れることで、前記貼り薬を人体から容易に剥がすことができることを特徴とする請求項１、２、３、または４に記載の貼り薬の貼り付け器具である。
第六発明は、さらに、第一、第二、第三、第四、または第五発明の貼り薬の貼り付け器具に使用する貼り薬配列テープをあらかじめ巻き回したロール状とすることで、貼り薬ローラに軸方向から嵌め込んで容易に保持させることを可能としたことを特徴とするロール状貼り薬配列テープである。
【発明の効果】
【００１５】
第一、第二、第三、第四、又は第五発明によれば、発明に係る器具は、薬成分を有し人体へ貼り付く人体付着力を持つ裏側の膏体層を、表側の支持層が支持して構成される貼り薬を使用する。この貼り薬を、貼り薬の支持層に付着し人体付着力よりも弱い第１付着力を有する第１テープと、貼り薬の膏体層に付着し人第１付着力よりも弱い第２付着力を得る第２テープとで挟んで、複数を各テープの長手方向へ配列させ、第１付着力および第２付着性とで維持して、構成される貼り薬配列テープを使用する。
【００１６】
このようにして構成した貼り薬配列テープを、貼り薬ローラに巻き回して保持する。この貼り薬ローラから巻き出される貼り薬配列テープは、第２テープが剥がされ第２ローラに巻き回された状態で、第１ローラに巻き回されて、器具にセットされる。
【００１７】
このセットの状態で、器具を手に持ち、第１ローラを介して薬配列テープの貼り薬を人体へ押し付けて、器具を移動すると、第１ローラは回転し、貼り薬配列テープは第１ローラへ引っ張られて移動する。その際に、貼り薬配列テープの貼り薬が、人体へ貼り付く。
【００１８】
この引っ張りにより、貼り薬配列テープを介して、貼り薬ローラも、連動して回転する。また、連動ベルトを介して、貼り薬ローラと連動して第２ローラも回転する。
【００１９】
さらに器具を移動すると、この第１ローラは、残った第１テープだけを巻き回して、第２ローラへ送る。第２ローラは、第１ローラからの第１テープのみならず、剥がされた第２テープをも、重ねて巻き取る。
【００２０】
このようにして、器具を手に持つことで、肩や背中など手の届かない部位にも、貼り薬を自分で貼ることができる。
【００２１】
しかも、複数の貼り薬を、上述の第１テープと第２テープとで挟んで、貼り薬配列テープとして使用することで、第２ローラは、特許文献２のように付着力により第２テープを剥がすのではなく、回転しながら第２テープを巻き取って剥がすことができ、これにより、複数の貼り薬を連続して貼ることができる。
【００２２】
第二、第三、第四、又は第五発明によれば、さらに、第１ローラからの第１テープの行路を、第１補助ローラによって変えて、第２ローラへ向かわせることで、貼り薬ローラに長い貼り薬配列テープを巻き回して径が大きくなっても、器具の内部の必要な空間を小さくでき、器具をコンパクトにできる。
【００２３】
また、貼り薬配列テープから剥がされた第２テープの行路を、第２補助ローラによって変えて、第２ローラへ向かわせることで、貼り薬ローラに長い貼り薬配列テープを巻き回して径が大きくなっても、器具の内部の必要な空間を小さくでき、器具をコンパクトにできる。さらに、貼り薬配列テープから第２テープが剥がれる位置を最適な位置にでき、第２テープが剥がされた状態の貼り薬配列テープの長さを小さくでき、よって、貼り薬の貼り付き面が露出した状態を最小にでき、これにより、薬効が落ちたり、膏体層の貼り付き面が不潔になったりすることを、抑止できる。
【００２４】
第三、第四、又は第五発明によれば、さらに、検知機構を構成する押圧材が螺旋状の傾斜路の終端で落下し、生じる音または振動により、ローラの１回転の終了を知らせるので、薬配列テープの不必要な巻き出しを防ぐことができる。
【００２５】
第四、又は第五発明によれば、さらに、逆回転防止機構を構成する弾性片の先端が、複数の凹凸の凸部に接触して、回転の適度な抵抗となるようにできるので、ローラの空回り、またはローラの逆回転を防止できる。
【００２６】
第五発明によれば、さらに、貼り薬に形成される切れ目に、棒状の剥がし具の先端を入れることで、貼った後の貼り薬を人体から容易に剥がすことができる。
第六発明によれば、さらに、貼り薬配列テープをあらかじめ巻き回したロール状としたロール状貼り薬配列テープを準備することで、貼り薬ローラに軸方向から嵌め込んで容易に、貼り薬ローラに保持させることが可能であるとともに、交換用の予備のロール状貼り薬配列テープを用意しておくことが可能になる。
【図面の簡単な説明】
【００２７】
【図１】この発明の一実施形態を示す全体縦断面側面図である。
【図２】図１を透視して示す平面図である。
【図３】図１の貼り薬配列テープを示す図で、（Ａ）は図１に対応する側面図、（Ｂ）は（Ａ）の平面図、（Ｃ）は（Ａ）のうち一つの貼り薬を拡大して示す断面図、（Ｄ）は（Ｃ）の平面図で切れ目の機能を示すものである。
【図４】（Ａ）は図２のＩＶ（Ａ）部分の拡大斜視図、（Ｂ）は（Ａ）の右側面図である。
【発明を実施するための形態】
【００２８】
この発明の実施形態を、図１〜図４に示す。
【００２９】
［貼り薬］
図３（Ｃ）に示すように、使用できる貼り薬１は、湿布薬などの一般的なものである。すなわち、薬成分を有し人体へ貼り付く人体付着力を持つ裏側の膏体層３を、表側の支持層５が支持して構成される。
【００３０】
そして図３（Ｄ）に示すように、支持層５となる支持材７には、貼り薬１を容易に剥がせるように、周囲の少なくとも一部に切れ目９が形成される。
【００３１】
［貼り薬配列テープ］
図３（Ａ）（Ｂ）に示すように、このような貼り薬１が、複数、第１テープ１１および第２テープ１３とで挟まれて、貼り薬配列テープ１５となる。各テープはビニールテープなどが使用できる。
【００３２】
第１テープ１１は、貼り薬１の支持層５の表側に、すなわち貼ったときに外に露出する側に、付着する。その付着力は、人体付着力よりも弱い第１付着力を有する。
【００３３】
第２テープ１３は、貼り薬１の膏体層３の裏側に、すなわち貼ったときに人体に貼り付く側に、付着する。その付着力は、第１付着力よりも弱い第２付着力を得るように調整される。すなわち、
人体付着力＞第１付着力＞第２付着力
とする。このとき、第１テープ１１が有する第１付着力は、第１テープ１１に施される付着成分の調整で、調整される。または、付着成分が塗布される面積を加減することで調整できる。例えば、図３（Ｂ）に示すように設ける塗布箇所１７の各面積や数を加減する。
【００３４】
さらに、膏体層３の裏側は、あらかじめ人体に貼り付く人体付着力を持つので、第２テープ１３自体に付着力が全くなくても、膏体層３の付着力が第２テープ１３に働く第２付着力が、第１付着力よりも弱ければ、構わない。逆に、第２テープ１３自体には付着力がなくても、第２付着力が第１付着力より強くなるようであれば、第２テープ１３自体が付着されにくい性質をもつように、テープ表面のエンボス加工などの物理的な加工や、テープの成分の調整をおこなうことで、上記の付着力の強弱関係を満たすように調整する。
【００３５】
また、貼り薬１は、複数が、用いられる。すなわち、複数の貼り薬１を表裏から、第１テープ１１および第２テープ１３とで挟むことで、複数の貼り薬１をテープの長手方向へ配列する。この配列状態は、第１付着力および第２付着性とで維持され、よって貼り薬配列テープ１５を構成する。
【００３６】
［器具本体］
図１図２に示すように、器具１９の本体２１は、内部に５本のローラ２９、３１、３５、３９、４１を設けられる空間２３を内部に有し、後方に、人が手でつかめる取っ手２５を有する。前方の下面には、貼り薬１を貼り付けるための窓２７を有する。
【００３７】
[貼り薬ローラ]
図１に示すように、本体２１の内部の中央には、貼り薬配列テープ１５を、第１テープ１１を内側にした状態で巻き回して保持する貼り薬ローラ２９が設けられる。長い貼り薬配列テープ１５を巻き回して貼り薬ローラ２９の径が大きくなっても対応できるように、本体２１の内部の中央の空間２３は大きく形成される。
【００３８】
[第１ローラ]
本体２１の内部の前方には、貼り薬ローラ２９と平行に第１ローラ３１が設けられる。この第１ローラ３１の下方に窓２７が形成される。そして、貼り薬ローラ２９から巻き出される貼り薬配列テープ１５は、第２テープ１３が剥がされた状態で第１ローラ３１に巻き回される。
【００３９】
第１ローラ３１を介して薬配列テープの貼り薬１を人体３３へ押し付けて、器具１９を図１中のＭ方向へ移動すると、第１ローラ３１は図中の反時計回りに回転し、その貼り薬配列テープ１５を引っ張って移動させ、貼り薬配列テープ１５の貼り薬１を人体３３へ押し付けて貼り付ける。残った第１テープ１１だけを巻き回して、第２ローラ３５へ送る。
【００４０】
第１ローラ３１の表面と、第１テープ１１の表面の素材は、接触摩擦が大きく、互いの滑りが生じないようにする。これにより第１ローラ３１の回転と、貼り薬配列テープ１５の移動とが、同時に円滑に行えるように図る。
【００４１】
［第２ローラ３５］
本体２１の内部の後方には、貼り薬ローラ２９と平行に第２ローラ３５が設けられる。この第２ローラ３５は、貼り薬配列テープ１５から剥がされた第２テープ１３、および、第１ローラ３１から送られてくる第１テープ１１を巻き取る。
【００４２】
［連動ベルト］
貼り薬ローラ２９と第２ローラ３５を連動させる連動ベルト３７が、貼り薬ローラ２９と第２ローラ３５のそれぞれの端部に巻き回されて設けられる。
【００４３】
［第１補助ローラ］
本体２１の内部の背側には、貼り薬ローラ２９と平行に第１補助ローラ３９が設けられる。この第１補助ローラ３９は、第１ローラ３１からの第１テープ１１の行路を、本体２１の背側へ変えて、第２ローラ３５へ向かわせる。
【００４４】
［第２補助ローラ］
本体２１の内部の腹側には、貼り薬ローラ２９と平行に第２補助ローラ４１が設けられる。この第２補助ローラ４１は、貼り薬配列テープ１５から剥がされた第２テープ１３の行路を、本体２１の前方向へ一度変えて、その後第２ローラ３５へ向かわせる。
【００４５】
［検知機構］
図２図４（Ａ）（Ｂ）に示すように、この器具１９は、ローラの１回転の終了を知らせる検知機構４３を備える。すなわち、第１ローラ３１の端部には、このローラの軸と同軸で、螺旋状の傾斜路４５が形成される。この傾斜路４５を押圧する押圧材４７は、コイル状の圧縮バネ４９によりその押圧力を発生する。押圧材４７と圧縮バネ４９はガイドを兼ねる円筒状容器に収納される。
そして、ローラが回転すると、傾斜路４５によって押圧力に抗して押圧材４７が後退する。やがて押圧材４７が、螺旋状の傾斜路４５の終端５１まで来ると、螺旋の始端５３と終端５１の落差の分５５を落下する。この落下により生じる音または振動により、ローラの１回転の終了を、器具１９の使用者は知ることができる。
【００４６】
［逆回転防止機構］
図２図４（Ａ）（Ｂ）に示すように、この器具１９は、ローラの空回り、または逆回転を防止する逆回転防止機構５７を備える。すなわち、第１ローラ３１の端部外周には、周方向へ複数の凹凸５９が、歯車状に形成される。この凹凸５９の凸部６１に接触する位置に、先端６３が保持される弾性片６５が設けられる。弾性片６５は、この実施形態では板バネの性質を有し、ボルト６７により器具１９の本体２１側に固定される。
【００４７】
そして、ローラの回転に伴って、弾性片６５の先端６３が凸部６１に接触して、回転のゆるやかな抵抗となる。これにより、ローラの節度ある回転がなされ、空回り、または逆回転を防止する。
【００４８】
「実施形態の作用・効果」
（作用）
図１に示すように、この実施形態によれば、器具１９は、貼り薬配列テープ１５を、あらかじめ貼り薬ローラ２９に巻き回して保持する。この貼り薬ローラ２９から巻き出される貼り薬配列テープ１５は、第１ローラ３１に巻き回される。その際、第１ローラ３１へ向かう前に貼り薬配列テープ１５から第２テープ１３が剥がされ、第２補助ローラ４１を介して送られ、第２ローラ３５に巻き回された状態となる。さらに、第１ローラ３１を通った後に、第１テープ１１が剥がされ第１ローラ３１から第１補助ローラ３９を介して送られ第２ローラ３５に巻き回される。このようにして、貼り薬ローラ２９が器具１９にセットされる。この貼り薬配列テープ１５はあらかじめ貼り薬ローラ２９に巻き回してあるので、セットが容易である。
【００４９】
器具１９を使用する際には、このセットの状態で、器具１９を手に持ち、第１ローラ３１を介して薬配列テープの貼り薬１を人体３３へ押し付けて、器具１９を移動する（図１中のＭ方向）。すると、第１ローラ３１は回転し、同時に貼り薬配列テープ１５は第１ローラ３１へ引っ張られて移動する。その際に、貼り薬配列テープ１５の貼り薬１が、人体３３へ貼り付く。
【００５０】
この引っ張りにより、貼り薬配列テープ１５を介して、貼り薬ローラ２９も、連動して回転する。また、連動ベルト３７を介して、貼り薬ローラ２９と連動して第２ローラ３５も回転する。
【００５１】
さらに続けて器具１９を移動すると、この第１ローラ３１は、残った第１テープ１１だけを巻き回して、第２ローラ３５へ送る。第２ローラ３５は、第１ローラ３１からの第１テープ１１のみならず、剥がされた第２テープ１３をも、重ねて巻き取る。
【００５２】
（効果）
（１）このようにして、器具１９を手に持つことで、肩や背中など手の届かない部位にも、貼り薬１を自分で貼ることができる。
【００５３】
（２）しかも、複数の貼り薬１を、上述の第１テープ１１と第２テープ１３とで挟んで構成する貼り薬配列テープ１５として使用することで、第２ローラ３５は、特許文献２のように付着力により第２テープ１３を剥がすのではなく、回転しながら連続して第２テープ１３を巻き取って剥がすことができ、これにより、肩や背中や腰などに、複数の貼り薬１を連続して貼ることができる。その際、貼り薬１を器具１９にセットし直す必要がない。
【００５４】
（３）さらに、第１ローラ３１からの第１テープ１１の行路を、第１補助ローラ３９によって変えて、第２ローラ３５へ向かわせることで、貼り薬ローラ２９に長い貼り薬配列テープ１５を巻き回して径が大きくなっても、必要な空間を作り出すことができ、ひいては器具１９の内部の必要な空間２３を小さくでき、器具１９をコンパクトにできる。
【００５５】
（４）また、貼り薬配列テープ１５から剥がされた第２テープ１３の行路を、第２補助ローラ４１によって変えて、第２ローラ３５へ向かわせることで、貼り薬ローラ２９に長い貼り薬配列テープ１５を巻き回して径が大きくなっても、必要な空間を作り出すことができ、ひいては器具１９の内部の必要な空間２３を小さくでき、器具１９をコンパクトにできる。さらに、貼り薬配列テープ１５から第２テープ１３が剥がれる位置を最適な位置にでき、第２テープ１３が剥がされた状態の貼り薬配列テープ１５の長さを小さくでき、よって、貼り薬１の貼り付き面が露出した状態を最小にでき、これにより、薬効が落ちたり、膏体層３の貼り付き面が不潔になったりすることを、抑止できる。
【００５６】
（５）さらに、図４の検知機構４３を構成する押圧材４７が螺旋状の傾斜路４５の終端５１で落下し、生じる音または振動により、ローラの１回転の終了を知らせるので、必要な分の回転を器具の使用者は姿勢を変えずに知ることができ、薬配列テープの不必要な巻き出しを防ぐことができる。
【００５７】
（６）さらに、図４の逆回転防止機構５７を構成する弾性片６５の先端６３が、複数の凹凸５９の凸部６１に接触して、回転の適度な抵抗となるようにできるので、各ローラが不必要に回ってしまうローラの空回りを防止できる。また、第１ローラ３１を誤ってぶつけることで、または、各テープの弾性で各ローラが逆方向へ引っ張られることなどで、ローラが逆回転してしまうのを防止できる。
【００５８】
（７）さらに、図３（Ｄ）に示すように、貼り薬１に形成される切れ目９に、棒状の剥がし具６７の先端６９を入れる（図３（Ｄ））ことで、貼った後の貼り薬１を人体３３から容易に剥がすことができる。
【００５９】
「他の実施形態」
（１）以上の実施形態では、第１、第２補助ローラ３９，４１が設けられるものであったが、他の実施形態では、たとえば器具本体の内部空間が十分な大きさを有し、貼り薬ローラ２９、第１ローラ３１、および第２ローラ３５の位置を自由に設定できる場合には、必ずしも設ける必要がない。
【００６０】
（２）以上の実施形態では、検知機構４３は、第１ローラ３１に設けられるものであったが、他の実施形態では、貼り薬ローラ２９、または第２ローラ３５に設けるものでもよい。
【００６１】
（３）以上の実施形態では、逆回転防止機構５７は、第１ローラ３１に設けられるものであったが、他の実施形態では、貼り薬ローラ２９、または第２ローラ３５に設けるものでもよい。
【００６２】
（４）以上の実施形態では、切れ目９は、貼り薬１の周囲の６か所に所定の長さのものが設けられるものであったが、他の実施形態では、この数は自由であり、長さも自由である。
【００６３】
（５）以上の実施形態では、検知機構４３のバネは、圧縮バネ４９であったが、他の実施形態では、引張バネを使用することも可能である。また、押圧材４７とバネとが一体に形成されるもの、例えば、コイル状の圧縮バネ４９の先端が押圧材となるものでもよい。
（６）以上の実施形態では、貼り薬配列テープ１５は、貼り薬ローラ２９に、いわば一体的に巻き回して保持されるものであったが、他の実施形態では、貼り薬配列テープ１５をあらかじめ巻き回してロール状としたロール状貼り薬配列テープを別に準備することも可能である。これにより、ロール状貼り薬配列テープを貼り薬ローラに軸方向から嵌め込んで容易に、貼り薬ローラに保持させることが可能となる。それとともに、交換用の予備のロール状貼り薬配列テープを必要な数だけ用意しておくことが可能になる。
【符号の説明】
【００６４】
１…貼り薬、３…膏体層、５…支持層、７…支持材、９…切れ目、１１…第１テープ、１３…第２テープ、１５…貼り薬配列テープ、１９…器具、２１…本体、２３…空間、２５…取っ手、２７…窓、２９…貼り薬ローラ、３１…第１ローラ、３３…人体、３５…第２ローラ、３７…連動ベルト、３９…第１補助ローラ、４１…第２補助ローラ、４３…検知機構、４５…傾斜路、４７…押圧材、４９…圧縮バネ、５１…終端、５３…始端、５５…落差の分、５７…逆回転防止機構、５９…凹凸、６１…凸部、６３…先端、６５…弾性片。
【図１】
2017006253.tif 000003
【図２】
2017006253.tif 000004
【図３】
2017006253.tif 000005
【図４】
2017006253.tif 000006